(57)【要約】【課題】紙葉類処理装置の操作性を向上させる。【解決手段】上部投出部１５は、筐体１０の上部に設けられて紙葉類を投出する。制御部８０は、第１制御と第２制御を行う。第１制御では、制御部８０は、投入部１１に投入されて識別部４０において正常と識別された紙葉類が外部集積部１３に搬送されるように紙葉類処理装置１の動作を制御する。第２制御では、制御部８０は、投入部１１に投入されて識別部４０において正常と識別された紙葉類が内部集積部２１に搬送され、内部集積部２１に集積された所定枚数の紙葉類が帯封部５０に搬送され、帯封部５０において帯封された所定枚数の紙葉類が上部投出部１５に搬送されるように紙葉類処理装置１の動作を制御する。【選択図】図７
2018190353.tif 000002
【特許請求の範囲】
【請求項１】
紙葉類を処理する紙葉類処理装置であって、
筐体と、
前記紙葉類が投入される投入部と、
前記紙葉類を集積するように構成され、該紙葉類を取り出すための取出口が前記筐体の外へ向けて開口する外部集積部と、
前記筐体の上部に設けられて前記紙葉類を投出する上部投出部と、
前記筐体の内部に設けられて前記紙葉類を集積する内部集積部と、
前記投入部に投入された紙葉類を識別する識別部と、
所定枚数の紙葉類を帯封する帯封部と、
前記紙葉類を搬送する搬送部と、
前記紙葉類処理装置の動作を制御する制御部とを備え、
前記制御部は、
前記投入部に投入されて前記識別部において正常と識別された紙葉類が前記外部集積部に搬送されるように前記紙葉類処理装置の動作を制御する第１制御と、
前記投入部に投入されて前記識別部において正常と識別された紙葉類が前記内部集積部に搬送され、該内部集積部に集積された所定枚数の紙葉類が前記帯封部に搬送され、該帯封部において帯封された所定枚数の紙葉類が前記上部投出部に搬送されるように前記紙葉類処理装置の動作を制御する第２制御とを行う
ことを特徴とする紙葉類処理装置。
【請求項２】
請求項１において、
前記制御部は、前記内部集積部に集積されている所定枚数未満の紙葉類が前記上部投出部に搬送されるように前記紙葉類処理装置の動作を制御する端数制御を行う
ことを特徴とする紙葉類処理装置。
【請求項３】
請求項１または２において、
前記筐体の下部に設けられて前記紙葉類を投出する下部投出部を備え、
前記制御部は、前記投入部に投入されて前記識別部において正常と識別された紙葉類が前記内部集積部に搬送され、該内部集積部に集積された所定枚数の紙葉類が前記帯封部に搬送され、該帯封部において帯封された所定枚数の紙葉類が前記下部投出部に搬送されるように前記紙葉類処理装置の動作を制御する第３制御を行う
ことを特徴とする紙葉類処理装置。
【請求項４】
請求項３において、
前記制御部は、前記第２制御および前記第３制御のうち予め指定された方の制御を行う
ことを特徴とする紙葉類処理装置。
【請求項５】
請求項３において、
前記制御部は、前記識別部における前記紙葉類の識別結果に応じて前記第２制御と前記第３制御とを選択的に行う
ことを特徴とする紙葉類処理装置。
【請求項６】
請求項１〜５のいずれか１項において、
前記外部集積部は、前記筐体の上部に設けられている
ことを特徴とする紙葉類処理装置。
【請求項７】
請求項１〜６のいずれか１項において、
前記搬送部は、それぞれが前記上部投出部と前記内部集積部と前記帯封部との間において前記紙葉類を搬送する複数の搬送機構を有している
ことを特徴とする紙葉類処理装置。
【発明の詳細な説明】
【技術分野】
【０００１】
ここに開示する技術は、紙葉類処理装置に関する。
【背景技術】
【０００２】
従来、紙幣や有価媒体（例えば小切手や商品券）などの紙葉類を処理する紙葉類処理装置が知られている。例えば、特許文献１には、紙幣を所定枚数毎に結束して整理する紙幣処理装置が記載されている。この紙幣処理装置では、一時集積部は、紙幣（施封される紙幣）を金種別に集積し、移送部は、一時集積部に集積された複数枚の紙幣を移送部の下方に配置された紙幣結束部に移送し、紙幣結束部は、移送部から受け取った紙幣を施封材（紙テープなど）により小束に施封して排出口から排出する。
【先行技術文献】
【特許文献】
【０００３】
【特許文献１】特開２０１６−２２４８４５号公報
【発明の概要】
【発明が解決しようとする課題】
【０００４】
特許文献１のような紙葉類処理装置では、帯封部において帯封された紙葉類（紙幣結束部により施封された紙幣）が紙葉類処理装置の下部から投出されるので、操作者は、紙葉類処理装置の下部から投出された紙葉類を腰を屈めて取り上げることになる。そのため、紙葉類処理装置の操作性が良好ではない。
【０００５】
そこで、ここに開示する技術は、操作性を向上させることが可能な紙葉類処理装置を提供することを目的とする。
【課題を解決するための手段】
【０００６】
ここに開示する技術は、紙葉類を処理する紙葉類処理装置に関し、この紙葉類処理装置は、筐体と、前記紙葉類が投入される投入部と、前記紙葉類を集積するように構成され該紙葉類を取り出すための取出口が前記筐体の外へ向けて開口する外部集積部と、前記筐体の上部に設けられて前記紙葉類を投出する上部投出部と、前記筐体の内部に設けられて前記紙葉類を集積する内部集積部と、前記投入部に投入された紙葉類を識別する識別部と、所定枚数の紙葉類を帯封する帯封部と、前記紙葉類を搬送する搬送部と、前記紙葉類処理装置の動作を制御する制御部とを備えている。前記制御部は、前記投入部に投入されて前記識別部において正常と識別された紙葉類が前記外部集積部に搬送されるように前記紙葉類処理装置の動作を制御する第１制御と、前記投入部に投入されて前記識別部において正常と識別された紙葉類が前記内部集積部に搬送され、該内部集積部に集積された所定枚数の紙葉類が前記帯封部に搬送され、該帯封部において帯封された所定枚数の紙葉類が前記上部投出部に搬送されるように前記紙葉類処理装置の動作を制御する第２制御とを行う。
【０００７】
なお、識別部において正常と識別された紙葉類とは、識別部においてリジェクト対象に該当しないと識別された紙葉類（紙葉類処理装置における処理の対象とすべき紙葉類）のことである。例えば、斜行や重送などの搬送異常となっている紙葉類（搬送異常券）や、汚れや破損により識別することができない紙葉類（識別不能券）や、偽物の紙葉類（偽券）などが、リジェクト対象に該当する。
【０００８】
前記の構成では、第１制御を行うことにより、正常な紙葉類（リジェクト対象に該当しない紙葉類）を帯封せずに集積することができる。また、第２制御を行うことにより、正常な紙葉類を帯封して筐体の上部から投出することができる。そのため、操作者は、筐体の下部から投出された紙葉類を腰を屈めて取り上げる場合よりも、筐体の上部から投出された紙葉類を容易に取得することができる。これにより、紙葉類処理装置の操作性を向上させることができる。
【０００９】
また、前記制御部は、前記内部集積部に集積されている所定枚数未満の紙葉類が前記上部投出部に搬送されるように前記紙葉類処理装置の動作を制御する端数制御を行うように構成されていてもよい。
【００１０】
前記の構成では、端数制御を行うことにより、内部集積部に残存している所定枚数未満の紙葉類（端数の紙葉類）を上部投出部から投出することができる。これにより、内部集積部に残存している所定枚数未満の紙葉類を適切に処理することができる。また、第２制御と端数制御において上部投出部を兼用することにより、上部投出部を有効に利用することができる。
【００１１】
また、前記紙葉類処理装置は、前記筐体の下部に設けられて前記紙葉類を投出する下部投出部を備えていてもよい。そして、前記制御部は、前記投入部に投入されて前記識別部において正常と識別された紙葉類が前記内部集積部に搬送され、該内部集積部に集積された所定枚数の紙葉類が前記帯封部に搬送され、該帯封部において帯封された所定枚数の紙葉類が前記下部投出部に搬送されるように前記紙葉類処理装置の動作を制御する第３制御を行うように構成されていてもよい。
【００１２】
前記の構成では、第３制御を行うことにより、正常な紙葉類を帯封して筐体の下部から投出することができる。これにより、帯封部において帯封された紙葉類を筐体の下部から投出するという運用にも適応することができる。
【００１３】
また、前記制御部は、前記第２制御および前記第３制御のうち予め指定された方の制御を行うように構成されていてもよい。
【００１４】
前記の構成では、第２制御（帯封部において帯封された紙葉類を上部投出部に搬送する制御）と第３制御（帯封部において帯封された紙葉類を下部投出部に搬送する制御）とを任意に選択することができる。これにより、帯封部において帯封された紙葉類の搬送先を上部投出部と下部投出部とに任意に切り換えることができる。
【００１５】
また、前記制御部は、前記識別部における前記紙葉類の識別結果に応じて前記第２制御と前記第３制御とを選択的に行うように構成されていてもよい。
【００１６】
前記の構成では、紙葉類の識別結果に応じて第２制御（帯封部において帯封された紙葉類を上部投出部に搬送する制御）と第３制御（帯封部において帯封された紙葉類を下部投出部に搬送する制御）と自動的に切り換えることができる。これにより、帯封部において帯封された紙葉類の搬送先を紙葉類の識別結果に応じて上部投出部と下部投出部とに自動的に切り換えることができる。
【００１７】
また、前記外部集積部は、前記筐体の上部に設けられていてもよい。
【００１８】
前記の構成では、筐体の上部に外部集積部を設けることにより、外部集積部が筐体の下部に設けられている場合よりも、外部集積部からの紙葉類の取り出しを容易に行うことができる。すなわち、操作者は、筐体の下部に設けられた外部集積部に集積された紙葉類を腰を屈めて取り上げる場合よりも、筐体の上部に設けられた外部集積部に集積された紙葉類を容易に取り出すことができる。これにより、紙葉類処理装置の操作性を向上させることができる。
【００１９】
また、前記搬送部は、それぞれが前記上部投出部と前記内部集積部と前記帯封部との間において前記紙葉類を搬送する複数の搬送機構を有していてもよい。
【００２０】
前記の構成では、複数の搬送機構を用いて上部投出部と内部集積部と帯封部との間における紙葉類の搬送を行うことにより、単一の搬送機構を用いて紙葉類の搬送を行う場合よりも、紙葉類の搬送を素早く行うことができる。
【発明の効果】
【００２１】
ここに開示する技術によれば、紙葉類処理装置の操作性を向上させることができる。
【図面の簡単な説明】
【００２２】
【図１】実施形態による紙幣処理装置の外観を例示する斜視図である。
【図２】実施形態による紙幣処理装置の内部構成を例示する図である。
【図３】第１反転部および第２反転部の構成を例示する図である。
【図４】紙幣の天地方向および左右方向を説明するための図である。
【図５】短手搬送における紙幣の反転を説明するための図である。
【図６】第１制御における紙幣の流れを例示する図である。
【図７】第２制御における紙幣の流れを例示する図である。
【図８】第３制御における紙幣の流れを例示する図である。
【図９】端数制御における紙幣の流れを例示する図である。
【図１０】操作表示部に表示される設定メニュー画面を例示する図である。
【図１１】操作表示部に表示される帯封設定画面を例示する図である。
【図１２】搬送部の変形例を説明するための図である。
【図１３】搬送部の変形例を説明するための図である。
【図１４】長手搬送における紙幣の反転を説明するための図である。
【発明を実施するための形態】
【００２３】
以下、実施の形態を図面を参照して詳しく説明する。なお、図中同一または相当部分には同一の符号を付しその説明は繰り返さない。また、以下では、紙幣や有価媒体（例えば小切手や商品券）などの紙葉類を処理する紙葉類処理装置の一例である紙幣処理装置（紙幣を処理する紙幣処理装置）を例に挙げて説明する。
【００２４】
（紙幣処理装置）
図１，図２は、実施形態による紙幣処理装置１の外観と内部構成を示している。この紙幣処理装置１は、紙幣の識別および計数と帯封紙幣の生成を行うように構成されている。すなわち、この紙幣処理装置１は、紙幣整理機を構成している。なお、帯封紙幣は、帯封紙で帯封された所定枚数（例えば１００枚）の紙幣のことである。
【００２５】
具体的には、紙幣処理装置１は、筐体１０と、投入部１１と、リジェクト部１２と、複数の外部集積部（この例では第１および第２外部集積部１３，１４）と、上部投出部１５と、下部投出部１６と、複数の内部集積部（この例では第１〜第５内部集積部２１〜２５）と、第１搬送部３０と、識別部４０と、第１反転部４１と、第２反転部４２と、帯封部５０と、印字部５１と、第２搬送部６１と、第３搬送部６２と、操作表示部７１と、記憶部７２と、制御部８０とを備えている。この例では、第１搬送部３０と第２搬送部６１と第３搬送部６２によって搬送部９０（筐体１０の内部において紙幣を搬送する搬送部９０）が構成されている。また、図３は、第１および第２反転部４１，４２の内部構成を例示している。
【００２６】
〈筐体〉
筐体１０は、直方体型の箱状に形成されている。そして、筐体１０には、紙幣処理装置１の構成部材（この例では第１〜第５内部集積部２１〜２５や識別部４０や第１および第２反転部４１，４２や帯封部５０や印字部５１など）が収納されている。
【００２７】
〈投入部〉
投入部１１は、紙幣が投入されるように構成されている。この例では、投入部１１は、筐体１０の前面部の上部に設けられ、筐体１０の前方に開口する投入口を有している。操作者は、投入部１１の投入口を介して投入部１１に紙幣を投入することができる。また、投入部１１は、複数枚の紙幣を集積した状態で保持するように構成されている。そして、投入部１１には、投入部１１に保持されている紙幣を１枚ずつ第１搬送部３０に繰り出す繰出ローラ１１１が設けられている。
【００２８】
〈リジェクト部〉
リジェクト部１２は、リジェクト対象に該当する紙幣（リジェクト券）を集積するように構成されている。この例では、リジェクト部１２は、筐体１０の前面部において投入部１１の下方に設けられ、複数枚のリジェクト券を保持することができるように構成されている。なお、リジェクト対象となる紙幣の種別は、予め指定されている。例えば、斜行や重送などの搬送異常となっている紙幣（搬送異常券）や、汚れや破損により識別することができない紙幣（識別不能券）や、偽物の紙幣（偽券）などが、リジェクト対象に該当する。
【００２９】
〈外部集積部〉
第１および第２外部集積部１３，１４は、紙幣を集積するように構成されている。そして、第１および第２外部集積部１３，１４は、紙幣を取り出すための取出口をそれぞれ有し、それぞれの取出口が筐体１０の外へ向けて開口している。この例では、第１および第２外部集積部１３，１４は、筐体１０の上部に設けられている。具体的には、第１および第２外部集積部１３，１４は、筐体１０の上面部において前後方向に並んで設けられている。操作者は、第１および第２外部集積部１３，１４の取出口を介して第１および第２外部集積部１３，１４に集積されている紙幣をそれぞれ取り出すことができる。
【００３０】
〈上部投出部〉
上部投出部１５は、筐体１０の上部に設けられている。そして、上部投出部１５は、紙幣（バラ紙幣あるいは帯封紙幣）を投出するように構成されている。この例では、上部投出部１５は、複数枚の紙幣を集積するように構成され、操作者が上部投出部１５に集積された紙幣を取り出すことができるように構成されている。具体的には、上部投出部１５は、トレイ１５１を有している。トレイ１５１は、上方に開口する直方体型の箱状に形成され、紙幣を集積するように構成されている。そして、トレイ１５１は、後側に設けられた受け取り位置（図２の実線で示された位置）と前側に設けられた取り出し位置（図２の一点鎖線で示された位置）との間を前後方向に移動するように構成されている。トレイ１５１を受け取り位置に配置することにより、トレイ１５１と第２搬送部６１との間において紙幣の受け渡しを行うことができる。一方、トレイ１５１を取り出し位置に配置することにより、操作者は、トレイ１５１に集積されている紙幣を取り出すことができる。なお、上部投出部１５には、前後方向に移動するトレイ１５１の代わりに、第２搬送部６１から受け取った紙幣を挟持して上部投出部１５内に搬送する搬送機構（ベルト機構）が設けられていてもよい。
【００３１】
〈下部投出部〉
下部投出部１６は、筐体１０の下部に設けられている。そして、下部投出部１６は、紙幣を投出するように構成されている。この例では、下部投出部１６は、筐体１０の前方に開口する投出口を有し、投出口を介して紙幣を投出するように構成されている。なお、下部投出部１６から投出された紙幣は、下部投出部１６の投出口の斜め前下に予め設置された回収容器（図示を省略）などに収納される。
【００３２】
〈内部集積部〉
第１〜第５内部集積部２１〜２５は、筐体１０の内部に設けられている。そして、第１〜第５内部集積部２１〜２５は、紙幣を集積するように構成されている。この例では、第１〜第５内部集積部２１〜２５は、上下方向に並んで設けられている。例えば、第１〜第５内部集積部２１〜２５は、紙幣を金種別に集積するように構成されている。すなわち、第１〜第５内部集積部２１〜２５は、それぞれに予め割り当てられた金種の紙幣を集積するように構成されていてもよい。
【００３３】
〈第１搬送部〉
第１搬送部３０は、投入部１１とリジェクト部１２と第１および第２外部集積部１３，１４と第１〜第５内部集積部２１〜２５との間において紙幣を搬送するように構成されている。この例では、第１搬送部３０は、投入部１１に投入された紙幣をリジェクト部１２と第１および第２外部集積部１３，１４と第１〜第５内部集積部２１〜２５のいずれかに搬送するように構成されている。第１搬送部３０は、例えば、紙幣を搬送するための搬送ベルトによって構成された搬送路，搬送ベルトを駆動するための駆動機構，紙幣の搬送を案内するためのガイド機構，紙幣の搬送方向を切り換えるための分岐爪などによって構成されている。この例では、第１搬送部３０は、紙幣の短手方向が搬送方向に沿うように紙幣を搬送する。すなわち、第１搬送部３０は、短手搬送を行うように構成されている。
【００３４】
〈識別部〉
識別部４０は、投入部１１に投入された紙幣を識別するように構成されている。この例では、識別部４０は、第１搬送部３０の搬送路において投入部１１の下流側（紙幣の搬送方向における下流側）に設けられ、第１搬送部３０によって搬送される紙幣に対して識別処理と計数処理とを行うように構成されている。識別処理では、識別部４０は、紙幣の金種，真偽，正損，新旧，方向（表裏と向き），搬送状態などを識別する。計数処理では、識別部４０は、紙幣の枚数を種別毎に計数する。識別部４０は、例えば、ラインセンサ，磁気センサ，画像センサなどの各種センサ，ＣＰＵなどの演算処理部，演算処理部を動作させるためのプログラムや情報を記憶するメモリなどの記憶部などによって構成されている。
【００３５】
〈紙幣の方向〉
ここで、図４，図５を参照して、紙幣の方向について説明する。図４に示すように、紙幣ＢＮの天地方向は、紙幣ＢＮの短手方向であり、紙幣ＢＮに描かれた肖像画を基準とした上下の方向である。紙幣ＢＮの左右方向は、紙幣ＢＮの長手方向であり、紙幣ＢＮに描かれた肖像画を基準とした左右の方向（天地方向に直交する方向）である。図５に示すように、紙幣ＢＮの短手方向が搬送方向に沿うように紙幣ＢＮが搬送される場合（すなわち短手搬送の場合）、紙幣ＢＮの天地方向が搬送方向に一致し、紙幣ＢＮの左右方向が搬送方向に直交する方向（搬送幅方向）となる。
【００３６】
なお、第１搬送部３０における紙幣ＢＮの方向は、紙幣ＢＮの表裏と向きとの組合せによって４つの方向に分類される。すなわち、紙幣ＢＮが表向きで且つ搬送方向に対して紙幣ＢＮの天地方向が従う方向（Ａ方向）と、紙幣ＢＮが表向きで且つ搬送方向に対して紙幣ＢＮの天地方向が逆らう方向（Ｂ方向）と、紙幣ＢＮが裏向きで且つ搬送方向に対して紙幣ＢＮの天地方向が逆らう方向（Ｃ方向）と、紙幣ＢＮが裏向きで且つ搬送方向に対して紙幣ＢＮの天地方向が従う方向（Ｄ方向）とに分類される。
【００３７】
〈第１反転部〉
第１反転部４１は、第１搬送部３０によって搬送される紙幣の搬送幅方向（搬送方向に直交する方向）の向きを変えずに、紙幣の表裏を選択的に反転させるように構成されている。この例では、第１反転部４１は、第１搬送部３０の搬送路において識別部４０の下流側（紙幣の搬送方向における下流側）に配置されている。また、図３に示すように、第１反転部４１は、スイッチバック方式の第１反転パス４１１と、第１反転バイパス４１２と、第１分岐爪４１３とを有している。第１反転パス４１１は、紙幣の搬送方向と直交し且つ紙幣の紙面に沿う第１軸（図５参照）周りに紙幣を回転させるように構成されている。この例（短手搬送）では、第１反転パス４１１において紙幣が第１軸周りに回転することで紙幣の表裏および天地方向が反転する。第１反転バイパス４１２は、紙幣の方向（表裏と天地方向と左右方向）を反転させることなく紙幣を通過させる経路である。第１分岐爪４１３は、紙幣を第１反転パス４１１または第１反転バイパス４１２に選択的に送るように構成されている。
【００３８】
また、この例では、第１反転バイパス４１２からリジェクト部１２へ分岐するリジェクト搬送路１２１と、第１反転バイパス４１２の紙幣をリジェクト搬送路１２１に選択的に送るリジェクト分岐爪４１４とが設けられている。識別部４０においてリジェクト対象に該当すると識別された紙幣（リジェクト券）は、第１反転バイパス４１２とリジェクト搬送路１２１とを順に通過してリジェクト部１２に搬送される。
【００３９】
〈第２反転部〉
第２反転部４２は、第１搬送部３０によって搬送される紙幣の搬送幅方向（搬送方向に直交する方向）の向きを選択的に反転させるように構成されている。この例では、第２反転部４２は、第１搬送部３０の搬送路において第１反転部４１の下流側（紙幣の搬送方向における下流側）に設けられている。また、図３に示すように、第２反転部４２は、第２反転パス４２１と、第２反転バイパス４２２と、第２分岐爪４２３と、反転機構４２４とを有している。第２反転パス４２１は、紙幣の搬送幅方向の向きを反転させるための経路である。第２反転バイパス４２２は、紙幣の方向（表裏と天地方向と左右方向）を反転させることなく紙幣を通過させる経路である。第２分岐爪４２３は、紙幣を第２反転パス４２１または第２反転バイパス４２２に選択的に送るように構成されている。反転機構４２４は、第２反転パス４２１に設けられ、紙幣の搬送方向に延びる第２軸（図５参照）周りに紙幣を回転させるように構成されている。この例（短手搬送）では、反転機構４２４において紙幣が第２軸周りに回転することで紙幣の表裏および左右方向が反転する。なお、反転機構４２４の構成の詳細は省略するが、反転機構４２４は、様々な公知の構成を採用することができる。
【００４０】
このように、第１および第２反転部４１，４２において紙幣の表裏および方向を必要に応じて反転させることにより、紙幣の表裏および方向を揃えることができる。
【００４１】
〈帯封部〉
帯封部５０は、所定枚数の紙幣を帯封するように構成されている。この例では、帯封部５０は、筐体１０の下部に設けられている。すなわち、この例では、筐体１０の上側から下側へ向けて上部投出部１５と第１〜第５内部集積部２１〜２５と帯封部５０とが順に配置されている。また、帯封部５０は、下部投出部１６の後方に配置されている。なお、帯封部５０の構成の詳細な図示は省略するが、帯封部５０は、公知の様々な構成を採用することができる。例えば、帯封部５０は、所定枚数の紙幣の束に帯封紙を巻き付けることで紙幣の帯封を行うように構成されていてもよいし、帯封紙によって形成された輪の中に所定枚数の紙幣の束を挿入することで紙幣の帯封を行うように構成されていてもよい。
【００４２】
〈印字部〉
印字部５１は、帯封紙に情報を印字するように構成されている。帯封紙に印字される情報には、紙幣の帯封が行われた日時に関する情報（日時情報），紙幣の帯封が行われるように紙幣処理装置１を操作した操作者を特定するための情報（操作者情報），紙幣の帯封が行われた金融機関を特定するための情報（金融機関情報），帯封紙幣の種別を特定するための情報（紙幣種別情報），帯封紙幣を構成する紙幣の方向（表裏や向き）が揃っているか否かを特定するための情報（紙幣方向情報）などが含まれている。なお、印字部５１による帯封紙の印字は、帯封部５０において所定枚数の紙幣が帯封された後に行われてもよいし、帯封部５０において所定枚数の紙幣が帯封される前に行われてもよい。
【００４３】
〈第２搬送部〉
第２搬送部６１は、上部投出部１５と第１〜第５内部集積部２１〜２５と帯封部５０との間において紙幣を搬送するように構成されている。この例では、第２搬送部６１は、筐体１０の上側から下側へ向けて順に配置された上部投出部１５と第１〜第５内部集積部２１〜２５と帯封部５０に沿うように上下方向に延びている。また、この例では、第２搬送部６１は、アーム部６５とガイド部６６とを有している。アーム部６５は、第１〜第５内部集積部２１〜２５および帯封部５０の各々に集積されている紙幣を把持して搬送するように構成されている。ガイド部６６は、上下方向に延び、アーム部６５を上下方向に往復移動させるように構成されている。具体的には、ガイド部６６は、上部投出部１５と第１〜第５内部集積部２１〜２５と帯封部５０にそれぞれ対応する高さ位置にアーム部６５を移動させるように構成されている。
【００４４】
アーム部６５を第１内部集積部２１（または第２〜第５内部集積部２２〜２５）に対応する高さ位置に配置することにより、アーム部６５と第１内部集積部２１（または第２〜第５内部集積部２２〜２５）との間において紙幣の受け渡しを行うことができる。これと同様に、アーム部６５を帯封部５０に対応する高さ位置に配置することにより、アーム部６５と帯封部５０との間において紙幣を受け渡しを行うことができる。また、アーム部６５を上部投出部１５に対応する高さ位置に配置することにより、アーム部６５と上部投出部１５（この例では図２の実線で示された受け取り位置に配置されたトレイ１５１）との間において紙幣の受け渡しを行うことができる。
【００４５】
〈第３搬送部〉
第３搬送部６２は、帯封部５０と下部投出部１６との間において紙幣を搬送するように構成されている。第３搬送部６２は、例えば、紙幣を搬送するための搬送ベルトによって構成された搬送路，搬送ベルトを駆動するための駆動機構，紙幣の搬送を案内するためのガイド機構などによって構成されている。
【００４６】
〈操作表示部〉
操作表示部７１は、操作者による操作が与えられ、操作者による操作に応じて情報を入力するように構成されている。これにより、操作者は、操作表示部７１を操作して紙幣処理装置１に各種処理を行わせることができる。すなわち、紙幣処理装置１は、操作表示部７１に与えられた操作者による操作に応答して動作するように構成されている。また、操作表示部７１は、紙幣処理装置１における紙幣の処理状況や操作画面などの各種情報を表示するように構成されている。例えば、操作表示部７１は、タッチパネルによって構成されている。
【００４７】
〈記憶部〉
記憶部７２は、紙幣処理装置１における紙幣の処理状況に関する情報や、操作表示部７１に表示される操作画面などの画像情報や、紙幣処理装置１の動作を制御するための制御情報（例えば各種設定に関する情報）などの各種情報を記憶するように構成されている。例えば、記憶部７２は、ハードディスクドライブやフラッシュメモリなどの汎用ストレージデバイスによって構成されている。
【００４８】
〈各種センサ〉
また、紙幣処理装置１の各部には、紙幣の通過を検出する通過センサなどの各種センサ（図示を省略）が設けられている。例えば、上部投出部１５には、上部投出部１５における紙幣の有無（具体的には、上部投出部１５に紙幣が送り込まれたことや、その紙幣が上部投出部１５から取り出されたこと）を検出する有無検知センサ（図示を省略）が設けられている。一方、下部投出部１６には、下部投出部１６の前方に設置された回収容器（図示を省略）において紙幣が満杯になったことを検出するフル検知センサ（図示を省略）が設けられている。具体的には、下部投出部１６の前方に設置された回収容器が満杯になると紙幣処理装置１内の搬送経路（第３搬送部６２や下部投出部１６内に設けられたスロープ部分）に紙幣が滞留する。フル検知センサは、紙幣処理装置１内の搬送経路において紙幣が滞留していることを検出するように構成されている。このような構成により、フル検知センサによる検出結果に基づいて回収容器において紙幣が満杯になったことを検出することができる。なお、これらの各種センサの検出信号は、制御部８０に送信される。
【００４９】
〈制御部〉
制御部８０は、紙幣処理装置１の各部（具体的には、投入部１１と第１および第２外部集積部１３，１４とリジェクト部１２と上部投出部１５と下部投出部１６と第１〜第５内部集積部２１〜２５と第１搬送部３０と識別部４０と第１および第２反転部４１，４２と帯封部５０と印字部５１と第２搬送部６１と第３搬送部６２と操作表示部７１と記憶部７２）と信号を伝送可能に接続されている。また、制御部８０は、タブレット端末やスマートフォンなどの外部機器（図示を省略）と通信可能に構成されている。
【００５０】
そして、制御部８０は、紙幣処理装置１において各種処理が行われるように、操作表示部７１に与えられた操作や、紙幣処理装置１の各部（各部に設けられた各種センサを含む）や外部機器（図示を省略）から受信した信号や情報に基づいて、紙幣処理装置１の各部を制御して紙幣処理装置１の動作を制御するように構成されている。例えば、制御部８０は、ＣＰＵなどの演算処理部，演算処理部を動作させるためのプログラムや情報を記憶するメモリなどの記憶部などによって構成されている。
【００５１】
また、この例では、制御部８０は、第１制御と第２制御と第３制御と端数制御とを行うように構成されている。例えば、制御部８０は、操作表示部７１に与えられた操作（操作者による操作）に応答して第１制御と第２制御と第３制御と端数制御とを選択的に行うように構成されている。
【００５２】
次に、図６，図７，図８，図９を参照して、制御部８０による制御（第１制御，第２制御，第３制御，端数制御）について詳しく説明する。なお、以下の説明において、識別部４０において正常と識別された紙幣とは、識別部４０においてリジェクト対象に該当しないと識別された紙幣（紙幣処理装置１における処理の対象とすべき紙幣）のことである。なお、リジェクト対象となる紙幣の種別は、予め指定されている。例えば、搬送異常券や識別不能券や偽券などがリジェクト対象に該当する。すなわち、識別部４０において正常と識別された紙幣は、識別部４０においてリジェクト対象として予め指定された種別に該当しないと識別された紙幣（リジェクト対象として予め指定された種別とは異なる種別に該当すると識別された紙幣）であるといえる。
【００５３】
《第１制御》
図６に示すように、第１制御では、制御部８０は、投入部１１に投入されて識別部４０において正常と識別された紙幣が外部集積部（図６では第１外部集積部１３）に搬送されるように紙幣処理装置１の動作を制御する。
【００５４】
具体的には、第１制御では、投入部１１に投入された紙幣は、第１搬送部３０によって識別部４０に搬送されて識別部４０において識別される。識別部４０において正常と識別された紙幣は、第１および第２反転部４１，４２において表裏および方向が必要に応じて反転され、その後、その紙幣に対応する外部集積部（その紙幣の搬送先として予め指定されている外部集積部、図６では第１外部集積部１３）に搬送されて外部集積部に集積される。なお、識別部４０においてリジェクト対象に該当すると識別された紙幣は、第１搬送部３０によってリジェクト部１２に搬送されてリジェクト部１２に集積される。
【００５５】
なお、制御部８０は、第１制御を行うとともに、第１制御が行われていることを示す画像を操作表示部７１に表示させるように構成されていてもよい。例えば、操作表示部７１の表示画面の片隅に「上部スタッカ」という文字（文字画像）が表示されてもよい。「上部スタッカ」は、筐体１０の上部に設けられた外部集積部（第１および第２外部集積部１３，１４）の名称である。すなわち、第１制御が行われていることを示した画像として、第１制御における正常紙幣の搬送先（外部集積部）を示した画像が操作表示部７１に表示されてもよい。また、制御部８０は、第１制御において外部集積部（図６では第１外部集積部１３）に搬送される紙幣の種別（金種や正損や新旧など）を示した画像を操作表示部７１に表示させるように構成されていてもよい。
【００５６】
また、制御部８０は、識別部４０において識別された紙幣の種別（金種や正損や新旧など）に基づいて、識別部４０において正常と識別された紙幣を第１外部集積部１３と第２外部集積部１４とに振り分ける（すなわち識別部４０において正常と識別された紙幣の搬送先を第１外部集積部１３と第２外部集積部１４とに切り換える）ように構成されていてもよい。この場合、制御部８０は、第１および第２外部集積部１３，１４にそれぞれ集積された紙幣の種別や枚数を示した情報（画像）を操作表示部７１に表示させるように構成されていてもよい。
【００５７】
《第２制御》
図７に示すように、第２制御では、制御部８０は、投入部１１に投入されて識別部４０において正常と識別された紙幣が内部集積部（図７では第１内部集積部２１）に搬送され、その内部集積部に集積された所定枚数の紙幣が帯封部５０に搬送され、帯封部５０において帯封された所定枚数の紙幣が上部投出部１５に搬送されるように紙幣処理装置１の動作を制御する。
【００５８】
具体的には、第２制御では、投入部１１に投入された紙幣は、第１搬送部３０によって識別部４０に搬送されて識別部４０において識別される。識別部４０において正常と識別された紙幣は、第１および第２反転部４１，４２において表裏および方向が必要に応じて反転され、その後、その紙幣に対応する内部集積部（その紙幣の搬送先として予め指定されている内部集積部、図７では第１内部集積部２１）に搬送されて内部集積部に集積される。そして、内部集積部（図７では第１内部集積部２１）に所定枚数の紙幣が集積されると、その内部集積部に集積されている所定枚数の紙幣は、第２搬送部６１によって帯封部５０に搬送されて帯封部５０において帯封される。これにより、帯封部５０において帯封紙幣が生成される。帯封部５０において生成された帯封紙幣は、第２搬送部６１によって上部投出部１５に搬送されて上部投出部１５から投出される。なお、識別部４０においてリジェクト対象に該当すると識別された紙幣は、第１搬送部３０によってリジェクト部１２に搬送されてリジェクト部１２に集積される。
【００５９】
なお、この例では、第２制御において複数の帯封紙幣が上部投出部１５に搬送される場合、上部投出部１５に搬送された帯封紙幣が上部投出部１５から取り出された後に、次の帯封紙幣が上部投出部１５に搬送される。具体的には、制御部８０は、上部投出部１５に送り込まれた帯封紙幣が上部投出部１５から取り出されたことが有無検知センサ（図示を省略）によって検出されると、次の帯封紙幣が帯封部５０から上部投出部１５に搬送されるように第２搬送部６１を制御する。
【００６０】
なお、制御部８０は、第２制御を行うとともに、第２制御が行われていることを示した画像を操作表示部７１に表示させるように構成されていてもよい。例えば、操作表示部７１の表示画面の片隅に「帯封／上部投出」という文字（文字画像）が表示されてもよい。すなわち、第２制御が行われていることを示した画像として、第２制御において投出される紙幣の状態（帯封状態）と、第２制御における帯封紙幣の搬送先（上部投出部１５）とを示した画像が操作表示部７１に表示されてもよい。また、制御部８０は、第２制御において上部投出部１５に搬送される紙幣の種別（金種や正損や新旧など）を示した画像を操作表示部７１に表示させるように構成されていてもよい。
【００６１】
《第３制御》
図８に示すように、第３制御では、制御部８０は、投入部１１に投入されて識別部４０において正常と識別された紙幣が内部集積部（図８では第１内部集積部２１）に搬送され、その内部集積部に集積された所定枚数の紙幣が帯封部５０に搬送され、帯封部５０において帯封された所定枚数の紙幣が下部投出部１６に搬送されるように紙幣処理装置１の動作を制御する。
【００６２】
具体的には、投入部１１に投入された紙幣は、第１搬送部３０によって識別部４０に搬送されて識別部４０において識別される。識別部４０において正常と識別された紙幣は、第１および第２反転部４１，４２において表裏および方向が必要に応じて反転され、その後、その紙幣に対応する内部集積部（その紙幣の搬送先として予め指定されている内部集積部、図８では第１内部集積部２１）に搬送されて内部集積部に集積される。内部集積部（図８では第１内部集積部２１）に所定枚数の紙幣が集積されると、その内部集積部に集積されている所定枚数の紙幣は、第２搬送部６１によって帯封部５０に搬送されて帯封部５０において帯封される。これにより、帯封部５０において帯封紙幣が生成される。帯封部５０において生成された帯封紙幣は、第３搬送部６２によって下部投出部１６に搬送されて下部投出部１６から投出される。なお、識別部４０においてリジェクト対象に該当すると識別された紙幣は、第１搬送部３０によってリジェクト部１２に搬送されてリジェクト部１２に集積される。
【００６３】
なお、制御部８０は、第３制御を行うとともに、第３制御が行われていることを示した画像を操作表示部７１に表示させるように構成されていてもよい。例えば、操作表示部７１の表示画面の片隅に「帯封／下部投出」という文字（文字画像）が表示されてもよい。すなわち、第３制御が行われていることを示した画像として、第３制御において投出される紙幣の状態（帯封状態）と、第３制御における帯封紙幣の搬送先（下部投出部１６）とを示した画像が操作表示部７１に表示されてもよい。また、制御部８０は、第３制御において下部投出部１６に搬送される紙幣の種別（金種や正損や新旧など）を示した画像を操作表示部７１に表示させるように構成されていてもよい。
【００６４】
また、制御部８０は、下部投出部１６の前方に回収容器（図示を省略）が設置されていることを条件として第３制御を行うように構成されていてもよい。具体的には、下部投出部１６の前方に回収容器が設置されていることを検出する容器検知センサ（図示を省略）が下部投出部１６の近傍に設けられていてもよい。そして、制御部８０は、容器検知センサの検知結果に基づいて回収容器が設置されているか否かを判定し、回収容器が設置されている場合に第３制御を行うように構成されていてもよい。
【００６５】
《端数制御》
図９に示すように、端数制御では、制御部８０は、内部集積部（図９では第１内部集積部２１）に集積されている所定枚数未満の紙幣が上部投出部に搬送されるように紙幣処理装置１の動作を制御する。
【００６６】
具体的には、内部集積部（図９では第１内部集積部２１）に残存している所定枚数未満の紙幣は、第２搬送部６１によって上部投出部１５に搬送されて上部投出部１５から投出される。
【００６７】
なお、制御部８０は、端数制御を行うとともに、端数制御が行われていることを示した画像を操作表示部７１に表示させるように構成されていてもよい。例えば、操作表示部７１の表示画面の片隅に「端数／上部投出」という文字（文字画像）が表示されてもよい。すなわち、端数制御が行われていることを示した画像として、端数制御において投出される紙幣の状態（端数のバラ状態）と、端数制御における帯封紙幣の搬送先（上部投出部１５）とを示した画像が操作表示部７１に表示されてもよい。また、制御部８０は、端数制御において上部投出部１５に搬送される紙幣の種別（金種や正損や新旧など）を示した画像を操作表示部７１に表示させるように構成されていてもよい。
【００６８】
〈実施形態による効果〉
以上のように、第１制御を行うことにより、正常な紙幣（リジェクト対象に該当しない紙幣）を帯封せずに集積することができる。また、第２制御を行うことにより、正常な紙幣を帯封して筐体１０の上部から投出することができる。そのため、操作者は、筐体１０の下部から投出された紙幣を腰を屈めて取り上げる場合よりも、筐体１０の上部から投出された紙幣を容易に取得することができる。これにより、紙幣処理装置１の操作性を向上させることができる。
【００６９】
なお、監視カメラなどで紙幣処理装置１の作業を監視する場合、筐体１０の下部が死角になりやすい。そのため、筐体１０の上部から帯封紙幣を投出する第２制御を行うことにより、監視の死角になりやすい筐体１０の下部を避けて帯封紙幣を投出することができるので、監視カメラの視界を確保することができ、紙幣処理装置１のセキュリティ性を向上させることができる。
【００７０】
また、現金センタなどの省人化のために、紙幣処理装置１から投出された帯封紙幣をロボットアームを用いて次工程（別の装置や搬送用の容器など）に移動させることが考えられる。なお、ロボットアームは、帯封紙幣を上方から掴んで搬送するように構成されている。したがって、筐体１０の上部から帯封紙幣を投出する第２制御を行うことにより、筐体１０の下部から帯封紙幣を投出する場合よりも、ロボットアームによる帯封紙幣の移動を容易にすることができる。
【００７１】
また、端数制御を行うことにより、第１〜第５内部集積部２１〜２５に残存している所定枚数未満の紙幣（端数の紙幣）を上部投出部１５から投出することができる。これにより、第１〜第５内部集積部２１〜２５に残存している所定枚数未満の紙幣を適切に処理することができる。また、第２制御と端数制御において上部投出部１５を兼用することにより、上部投出部１５を有効に利用することができる。
【００７２】
また、第２制御と同様に、端数制御では、紙幣（端数の紙幣）を上部投出部１５から投出することができるので、筐体１０の下部から紙幣を投出する場合よりも、紙幣処理装置１の操作性やセキュリティ性を向上させることができ、ロボットアームによる紙幣の移動を容易にすることができる。
【００７３】
また、第３制御を行うことにより、正常な紙幣を帯封して筐体１０の下部から投出することができる。これにより、帯封部５０において帯封された紙幣を筐体１０の下部から投出するという運用にも適応することができる。
【００７４】
また、筐体１０の上部に第１および第２外部集積部１３，１４を設けることにより、第１および第２外部集積部１３，１４が筐体１０の下部に設けられている場合よりも、第１および第２外部集積部１３，１４からの紙幣の取り出しを容易に行うことができる。すなわち、操作者は、筐体１０の下部に設けられた第１および第２外部集積部１３，１４に集積された紙幣を腰を屈めて取り上げる場合よりも、筐体１０の上部に設けられた第１および第２外部集積部１３，１４に集積された紙幣を容易に取り出すことができる。これにより、紙幣処理装置１の操作性を向上させることができる。
【００７５】
（制御部の変形例１）
なお、制御部８０は、第２制御および第３制御のうち予め指定された方の制御（例えば操作者により指定された方の制御）を行うように構成されていてもよい。例えば、制御部８０は、次のような動作を行うように構成されていてもよい。
【００７６】
まず、制御部８０は、図１０に示すような設定メニュー画面（各種設定を行うための操作画面）を操作表示部７１に表示させる。図１０に示した設定メニュー画面には、帯封部５０における帯封処理に関する設定を行うための帯封設定アイコン（図１０において「帯封設定」と記載されたアイコン）が設けられている。
【００７７】
操作表示部７１に表示された設定メニュー画面において帯封設定アイコンを選択するための操作が操作表示部７１に与えられると、制御部８０は、図１１に示すような帯封設定画面（帯封部５０における帯封処理に関する設定を行うための操作画面）を操作表示部７１に表示させる。図１１に示した帯封設定画面には、帯封紙幣の投出位置として上部を指定するための上部アイコン（図１１において「上部」と記載されたアイコン）と、帯封紙幣の投出位置として下部を指定するための下部アイコン（図１１において「下部」と記載されたアイコン）とが設けられている。
【００７８】
そして、制御部８０は、操作表示部７１に表示された帯封設定画面において上部アイコンを選択するための操作が操作表示部７１に与えられた場合に、帯封紙幣を上部投出部１５から投出する第２制御を行い、操作表示部７１に表示された帯封設定画面において下部アイコンを選択するための操作が操作表示部７１に与えられた場合に、帯封紙幣を下部投出部１６から投出する第３制御を行う。
【００７９】
以上のような構成により、第２制御（帯封部５０において帯封された紙幣を上部投出部１５に搬送する制御）と第３制御（帯封部５０において帯封された紙幣を下部投出部１６に搬送する制御）とを任意に選択することができる。これにより、帯封部５０において帯封された紙幣の搬送先を上部投出部１５と下部投出部１６とに任意に切り換えることができる。
【００８０】
（制御部の変形例２）
また、制御部８０は、識別部４０における紙幣の識別結果（金種，正損，新旧など）に応じて第２制御と第３制御とを選択的に行うように構成されていてもよい。
【００８１】
具体的には、制御部８０は、識別部４０において識別された紙幣の金種に応じて第２制御と第３制御とを選択的に行うように構成されていてもよい。例えば、制御部８０は、投入部１１に投入されて識別部４０において正常と識別された紙幣を帯封して投出する帯封投出モードにおいて、識別部４０において識別された紙幣の金種が予め指定された金種（帯封投出モードにおいて上部投出部１５に搬送すべき帯封紙幣の金種）に該当する場合に第２制御を行い、識別部４０において識別された紙幣の金種が予め指定された金種とは異なる金種に該当する場合に第３制御を行うように構成されていてもよい。また、制御部８０は、識別部４０において識別された紙幣の正損（または新旧）に応じて第２制御と第３制御とを選択的に行うように構成されていてもよいし、識別部４０において識別された紙幣の金種と正損と新旧のうち少なくとも２つの組合せに応じて第２制御と第３制御とを選択的に行うように構成されていてもよい。
【００８２】
以上のような構成により、識別部４０における紙幣の識別結果に応じて第２制御（帯封部５０において帯封された紙幣を上部投出部１５に搬送する制御）と第３制御（帯封部５０において帯封された紙幣を下部投出部１６に搬送する制御）と自動的に切り換えることができる。これにより、帯封部５０において帯封された紙幣の搬送先を紙幣の識別結果に応じて上部投出部１５と下部投出部１６とに自動的に切り換えることができる。このような構成により、例えば、上部投出部１５から投出された帯封紙幣がロボットアームにより次工程に搬送され、下部投出部１６から投出された帯封紙幣が回収容器に回収されるという運用に適応することができる。
【００８３】
（搬送部の変形例）
図１２，図１３に示すように、第２搬送部６１（搬送部９０）は、それぞれが上部投出部１５と第１〜第５内部集積部２１〜２５と帯封部５０との間において紙幣を搬送する複数の搬送機構を有していてもよい。この例では、第２搬送部６１は、第１および第２搬送機構６００ａ，６００ｂを有している。なお、図１２は、紙幣処理装置１の内部構成を示し、図１３は、後方から見た紙幣処理装置１を示している。
【００８４】
第１および第２搬送機構６００ａ，６００ｂは、紙幣処理装置１の幅方向（上下方向と前後方向の両方に直交する方向、図１３における左右方向）に並んで設けられている。第１搬送機構６００ａは、第１アーム部６５ａと第１ガイド部６６ａとを有し、第２搬送機構６００ｂは、第２アーム部６５ｂと第２ガイド部６６ｂとを有している。
【００８５】
第１アーム部６５ａは、第１〜第５内部集積部２１〜２５および帯封部５０の各々に集積されている紙幣を把持して搬送するように構成されている。第１ガイド部６６ａは、上下方向に延び、第１アーム部６５ａを上下方向に往復移動させるように構成されている。具体的には、第１ガイド部６６ａは、上部投出部１５と第１〜第５内部集積部２１〜２５と帯封部５０にそれぞれ対応する高さ位置，上方退避位置Ｐ１，下方退避位置Ｐ２に第１アーム部６５ａを移動させるように構成されている。なお、上方退避位置Ｐ１は、上部投出部１５に対応する高さ位置よりも上方に設けられ、下方退避位置Ｐ２は、帯封部５０に対応する高さ位置よりも下方に設けられている。
【００８６】
第２アーム部６５ｂは、第１〜第５内部集積部２１〜２５および帯封部５０の各々に集積されている紙幣を把持して搬送するように構成されている。第２ガイド部６６ｂは、上下方向に延び、第２アーム部６５ｂを上下方向に往復移動させるように構成されている。具体的には、第２ガイド部６６ｂは、上部投出部１５と第１〜第５内部集積部２１〜２５と帯封部５０にそれぞれ対応する高さ位置，上方退避位置Ｐ１，下方退避位置Ｐ２に第２アーム部６５ｂを移動させるように構成されている。
【００８７】
なお、第１および第２ガイド部６６ａ，６６ｂは、第１および第２アーム部６５ａ，６５ｂが互いに接触しないように紙幣処理装置１の幅方向に並んで設けられている。
【００８８】
以上のように、複数の搬送機構（この例では第１および第２搬送機構６００ａ，６００ｂ）を用いて上部投出部１５と第１〜第５内部集積部２１〜２５と帯封部５０との間における紙幣の搬送を行うことにより、単一の搬送機構を用いて紙幣の搬送を行う場合よりも、紙幣の搬送を素早く行うことができる。
【００８９】
例えば、第１および第２搬送機構６００ａ，６００ｂ（具体的には第１および第２アーム部６５ａ，６５ｂ）を次のように動作させることにより、単一の搬送機構を用いて紙幣の搬送を行う場合よりも、紙幣の搬送を素早く行うことができる。以下では、第２制御において、第１内部集積部２１に集積されている紙幣を用いて帯封紙幣を生成した後に、第２内部集積部２２に集積されている紙幣を用いて帯封紙幣を生成する場合を例に挙げている。すなわち、以下の例では、まず、第１内部集積部２１が第１搬送機構６００ａによる搬送処理の対象となり、次に、第２内部集積部２２が第２搬送機構６００ｂによる搬送処理の対象となる。また、以下の例では、初期状態において、第１アーム部６５ａが上方退避位置Ｐ１に配置され、第２アーム部６５ｂが下方退避位置Ｐ２に配置されているものとする。
【００９０】
まず、第１アーム部６５ａは、上方退避位置Ｐ１から第１内部集積部２１に対応する高さ位置へ向けて移動し、第１内部集積部２１に対応する高さ位置において第１内部集積部２１から紙幣（第１内部集積部２１に集積されている所定枚数の紙幣）を受け取る。次に、第１アーム部６５ａは、第１内部集積部２１に対応する高さ位置から帯封部５０に対応する高さ位置へ向けて移動し、帯封部５０に対応する高さ位置において帯封部５０に紙幣（第１内部集積部２１から受け取った所定枚数の紙幣）を引き渡す。次に、第１アーム部６５ａは、帯封部５０から帯封紙幣（帯封部５０において帯封された所定枚数の紙幣）を受け取り、帯封部５０に対応する高さ位置から上部投出部１５に対応する高さ位置へ向けて移動し、上部投出部１５に対応する高さ位置において帯封紙幣を上部投出部１５に引き渡す。次に、第１アーム部６５ａは、上部投出部１５に対応する高さ位置から上方退避位置Ｐ１へ向けて移動する。
【００９１】
一方、第２アーム部６５ｂは、第１アーム部６５ａが上部投出部１５に帯封紙幣を引き渡している間に、下方退避位置Ｐ２から第２内部集積部２２に対応する高さ位置へ向けて移動し、第２内部集積部２２に対応する高さ位置において第２内部集積部２２から紙幣（第２内部集積部２２に集積されている所定枚数の紙幣）を受け取る。次に、第２アーム部６５ｂは、第２内部集積部２２に対応する高さ位置から帯封部５０に対応する高さ位置へ向けて移動し、帯封部５０に対応する高さ位置において帯封部５０に紙幣（第２内部集積部２２から受け取った所定枚数の紙幣）を引き渡す。次に、第２アーム部６５ｂは、帯封部５０から帯封紙幣（帯封部５０において帯封された所定枚数の紙幣）を受け取り、帯封部５０に対応する高さ位置から上部投出部１５に対応する高さ位置へ向けて移動し、上部投出部１５に対応する高さ位置において帯封紙幣を上部投出部１５に引き渡す。次に、第２アーム部６５ｂは、上部投出部１５に対応する高さ位置から下方退避位置Ｐ２へ向けて移動する。
【００９２】
なお、さらに続けて帯封紙幣の投出が行われる場合、上述の動作が繰り返される。すなわち、第１アーム部６５ａは、上方退避位置Ｐ１から第１〜第５内部集積部２１〜２５のうち次に第１搬送機構６００ａによる搬送処理の対象となる内部集積部に対応する高さ位置へ向けて移動する。その後、第２アーム部６５ｂは、下方退避位置Ｐ２から第１〜第５内部集積部２１〜２５のうち次に第２搬送機構６００ｂによる搬送処理の対象となる内部集積部に対応する高さ位置へ向けて移動する。
【００９３】
（その他の実施形態）
以上の説明では、第２反転部４２（反転機構４２４）が第２軸（図５参照）周りに紙幣を回転させるように構成されている場合を例に挙げたが、第２反転部４２は、紙幣の紙面に直交する第３軸（図５参照）周りに紙幣を回転させるように構成されていてもよい。この例（短手搬送）では、第２反転部４２において紙幣が第３軸周りに回転することで紙幣の天地方向および左右方向が反転する。この場合、紙幣の表裏は反転されない。
【００９４】
また、以上の説明では、紙幣の短手方向が搬送方向に沿うように紙幣が搬送される場合（短手搬送の場合）を例に挙げたが、紙幣の長手方向が搬送方向に沿うように紙幣が搬送されてもよい。図１４に示すように、紙幣の長手方向が搬送方向に沿うように紙幣が搬送される例（長手搬送）では、第１反転部４１（第１反転パス４１１）において紙幣が第１軸（紙幣の搬送方向と直交し且つ紙幣の紙面に沿う軸）周りに回転することで紙幣の表裏および左右方向が反転し、第２反転部４２（反転機構４２４）において紙幣が第２軸（紙幣の搬送方向に延びる軸）周りに回転することで紙幣の表裏および天地方向が反転する。      
【００９５】
また、以上の説明では、紙葉類処理装置の一例として紙幣を処理する紙幣処理装置を例に挙げたが、紙葉類処理装置は、小切手や商品券などの有価媒体を処理する有価媒体処理装置であってもよい。
【００９６】
また、以上の実施形態を適宜組み合わせて実施してもよい。以上の実施形態は、本質的に好ましい例示であって、ここに開示する技術、その適用物、あるいはその用途の範囲を制限することを意図するものではない。
【産業上の利用可能性】
【００９７】
以上説明したように、ここに開示する技術は、紙葉類処理装置として有用である。
【符号の説明】
【００９８】
１          紙幣処理装置（紙葉類処理装置）
１０        筐体
１１        投入部
１２        リジェクト部
１３        第１外部集積部
１４        第２外部集積部
１５        上部投出部
１６        下部投出部
２１        第１内部集積部
２２        第２内部集積部
２３        第３内部集積部
２４        第４内部集積部
２５        第５内部集積部
３０        第１搬送部
４０        識別部
４１        第１反転部
４２        第２反転部
５０        帯封部
５１        印字部
６１        第２搬送部
６２        第３搬送部
６５        アーム部
６６        ガイド部
６５ａ      第１アーム部
６５ｂ      第２アーム部
６６ａ      第１ガイド部
６６ｂ      第２ガイド部
７１        操作表示部
７２        記憶部
８０        制御部
９０        搬送部
６００ａ    第１搬送機構
６００ｂ    第２搬送機構
【図１】
2018190353.tif 000003
【図２】
2018190353.tif 000004
【図３】
2018190353.tif 000005
【図４】
2018190353.tif 000006
【図５】
2018190353.tif 000007
【図６】
2018190353.tif 000008
【図７】
2018190353.tif 000009
【図８】
2018190353.tif 000010
【図９】
2018190353.tif 000011
【図１０】
2018190353.tif 000012
【図１１】
2018190353.tif 000013
【図１２】
2018190353.tif 000014
【図１３】
2018190353.tif 000015
【図１４】
2018190353.tif 000016